(57)【要約】【課題】  家庭用ＬＰガスボンベは従来チェーンで固定されていたが、この場合がたつきをなくすまで締め付けることができなかった。また、チェーンの場合、外観が美的であるとは言い難く、ボンベと接触すると金属接触音が発生するし、ボンベを傷つける可能性すらあった。【解決手段】  家屋躯体に直接或いは固定装置を介して設置される家庭配置型ＬＰガスボンベを、該躯体或いは該装置に固定されたフック部材に掛止するためのベルトであって、幅広の布と長さ調整バックル材、及び一対の掛止金具にて構成される。掛止金具を外壁等のフックに掛止した状態でベルト長さを調整することができる。【選択図】  図２
2005083545.tif 000002
【特許請求の範囲】
【請求項１】
家屋躯体に直接或いは固定装置を介して設置される家庭配置型ＬＰガスボンベを、該躯体或いは該装置に固定されたフック部材に掛止するためのベルトであって、幅広の布と長さ調整バックル材、及び一対の掛止金具にて構成されるものであることを特徴とするＬＰガスボンベ用ベルト。
【請求項２】
該掛止金具先端に設けられるフック挿通孔の長さＬが幅Ｗよりも長く形成されており、またこの金具とセットとなるフック部材は、Ｔ形突起を有しており、その先端部分の幅はフック挿通孔の長さＬよりもわずかに狭く、このＴ形突起の中間部分の幅はフック挿通孔の幅Ｗよりも大きいものである請求項１記載のＬＰガスボンベ用ベルト。
【発明の詳細な説明】
【技術分野】
【０００１】
本発明は、家屋躯体に設置される家庭配置型ガスボンベを固定しておくためのベルトに関するものである。
【背景技術】
【０００２】
ガスが充填されたボンベを配置しこれを定期的に交換する形式のガス供給形態において用いられるガスは「ＬＰガス」であり、厳格に規格された専用のボンベにこのＬＰガスが充填され用いられている。そして一般住宅の場合、通常外壁にボンベが設置される。外壁に直接立てかける場合と外壁に部材（固定フレームなど）をまず固定しこれにボンベを立てかける場合とがある。そしていずれの場合にも、壁や固定フレームなどに設けられたフック部材にチェーンを架け渡している。個々のチェーンリング孔がフック掛止孔となり得るため、チェーンの掛け外しは案外容易である。
【発明の開示】
【発明が解決しようとする課題】
【０００３】
しかし、従来のチェーンによる固定では、大きな地震に遭った場合振動で持ち上がったボンベが落ちてゆく際にチェーンのゆるみによってボンベの姿勢が変わり、元の台座部分に落ちず、ガス設備を壊してしまったり、ボンベ自体が転倒してしまう場合がある。またチェーンの締め付けにゆるみがあると、地震による振動が家屋とボンベで共動せず、家屋に対してボンベが振動することにもなりかねず、その場合ボンベがチェーン掛止用のフック部材を引っ張って壊してしまうことにもなる。
【０００４】
またチェーンは、必要な長さよりも相当長いものが使用されていることが多いのでボンベを設置している状態でその余剰部分のチェーンがフック部材から垂れ下がることとなり美観を損なうものであった。更に全てが金属部材であるので、ボンベを交換するときなどチェーンを取り外したり取り付けたりすると金属接触音が発生し、耳障りであった。
【特許文献１】特開平１０−９４９５号
【課題を解決するための手段】
【０００５】
以上のような現状に鑑み、本発明者は長年鋭意研究の結果遂に本発明を成したものであり、その特徴とするところは、家屋躯体に直接或いは固定装置を介して設置される家庭配置型ＬＰガスボンベを、該躯体或いは該装置に固定されたフック部材に掛止するためのベルトであって、幅広の布と長さ調整バックル材、及び一対の掛止金具にて構成されるものである点にある。
【０００６】
即ち、従来「チェーン」の有していた、ゆるみのない締め付け固定が困難である、金属接触音の発生を解消しにくい、等々の問題点は、「幅広の布ベルトに長さ調整できるバックルを付属させた」ものに代えれば一掃できる、というのが本発明の根幹である。
【０００７】
なおここで「幅広の布」は、その幅を数値として限定するものではなく、捻れがあった場合に容易に視認できるものであれば「幅広」の概念に属するものとする。また「布」の材質についても特には限定しないが、常時屋外にあって耐候性が求められること、地震の如き大きな外力にも耐えられる引っ張り強度を有していることが望ましいこと、が基本的にあるので、こうした点を勘案して採用されることが好ましい。本発明者が試作した範囲では、自動車シートベルトに採用されている布（ポリエステルを主材料としこれに加工を施したもの）やこれに類したものが好適であった。
【０００８】
「長さ調整バックル材」は、ベルトの両端を外壁などに固定した後にゆるみなく長さを短くすることを目的とする部材であり、ショルダーバッグの肩掛けベルトによく見られる構造がその典型的なものである。但し、上記目的を適える部材であれば基本的にはこの「長さ調整バックル材」に含まれるものとし特に限定はしない。
【０００９】
なお本発明に係るＬＰガスボンベ用ベルトは、従来のチェーンと同様家屋の外壁などに固設された一対のフック金具等にその両端を掛止するわけであるが、このフック金具等の構造、材質等々に関しても特に限定はしない。但し、本発明では全ての掛止金具がフックに掛けられた状態でベルトをゆるめることができるのでこれを利用し、確実安全な掛止ができるようにすると好適である。
【発明の効果】
【００１０】
本発明に係るＬＰガスボンベ用ベルトは、以下述べる如き効果を有する。
（１）  外壁などにボンベを立て掛けてベルトを架け渡した後、ベルト長さを短くすることができるので、ゆるみなく締め付けることが容易にできる。
（２）  チェーンと異なり布が主体であるので、金属接触音が発生せず、またボンベ表面を傷つけることもない。
（３）  チェーンのように余剰部分が垂れるということがないので外観も良い。
（４）  ベルトを外す際に一旦これをゆるめると作業が簡単になる。
【発明を実施するための最良の形態】
【００１１】
以下図面に基づいて本発明をより詳細に説明する。
【実施例１】
【００１２】
図１は、本発明に係るＬＰガスボンベ用ベルト１（以下、「本発明ベルト１」という）の一例を示すものである。図より明らかなように本発明ベルト１は、幅広（約５０ｍｍ）のベルト本体２の一端にバックル材３を固定し、このベルト本体２を、固定金具４１を挿通させた後、バックル材３の二つの孔３１に再び通して、端部に固定金具４２を固定したものである。固定金具４１はベルト本体２上をスライド自在であり、固定金具４２はベルト本体２の端部に固定されているという機能上の差異はあるが、金具自体の構造は４１、４２とも全く等しいものである。本例におけるバックル材３及び固定金具４１、４２はいずれもアルマイト表面処理を施したアルミニウム製であるが、他の材質のものを採用しても良い。
【００１３】
図２（ａ）（ｂ）は、本発明ベルト１の使用状態の一例を経時的且つ概略的に示すものである。まず本発明ベルト１の一方の固定金具（図では４２であるが、他方４１の固定金具であっても良い）を家屋外壁に堅固に固定されたフック部材Ｆに掛け、ＬＰガスボンベＢ（図は５０ｋｇ用ボンベ）二本を立て掛ける［同図（ａ）］。
続いてこれら二本のＬＰガスボンベＢを越えて他方のフック部材Ｆにもう一方の固定金具（図では４１）を掛ける。この段階では、予め本発明ベルト１の長さはやや長めにしておく。掛け終えた後、バックル材３に通すベルト本体２の量を調整し、ゆるみをなくする［同図（ｂ）］。
【００１４】
ボンベを取り外す際には、逆にまずベルト本体２をたるませた後に、フック部材Ｆから固定金具を外してやることになる。従来のチェーンの場合には、両フック部材に固定金具（チェーンリング）が掛けられている状態で「チェーンをゆるめる」ということはできないので、ゆるみを取って掛止した場合には取り外し作業は非常に面倒なものとなるが、本発明ベルト１の場合にはそうした面倒さはない。
【００１５】
図３は、本発明の掛止金具４１（及び４２）の構造に関する例を示すものである。掛止金具４１（４２）先端に設けられるフック挿通孔４３の長さＬが幅Ｗよりも長く形成されており、またこの金具とセットとなるフック部材Ｆは、Ｔ形突起５が設けられているというものである。このＴ形突起５の先端部分の幅はフック挿通孔４３の長さＬよりもわずかに狭く、このＴ形突起５の中間部分の幅はフック挿通孔４３の幅Ｗよりも大きい。
【００１６】
こうした構造である掛止金具４１（４２）は、ベルトをゆるめた状態で掛け外しをする本発明の場合にのみ有効な掛止の形態であると言える。図４（ａ）（ｂ）（ｃ）は、図３で示した掛止金具４１（４２）をフック部材Ｆに掛止している状態を概略的に示すものである。ベルト本体２をゆるめた状態で、まず掛止金具４１（４２）を掛止方向からほぼ直角に向きを変え、フック部材ＦのＴ形突起５のまず先端部分片側をフック挿通孔４３に嵌め込む［同図（ａ）］。
【００１７】
フック挿通孔４３がＴ形突起５の先端部分を越えたら、該孔４３の内壁がＴ形突起５の中間部分に当たるように掛止金具４１（４２）をずらしてやり、Ｔ形突起５の先端部分のもう片側もフック挿通孔４３を越えさせる［同図（ｂ）］。
そして掛止金具４１（４２）を正規の向きに戻してやる［同図（ｃ）］。
【００１８】
これらの作業は、実際にはほぼ一瞬でできる簡単なものであるが、作業終了後ベルト本体２のゆるみを取ると、地震の如き外力が加えられても外れてしまうことはないので、各部材が破壊されないだけの強度を有していれば、この上なく安全なものとなる。
【００１９】
なおここまで本発明ベルト１は、ボンベ二本を固定するために用いるものとして説明してきたが、ベルト本体２の長さを調整して、ボンベ一本用として使用することも可能であるし、当然ボンベサイズの変更にも対応できるものである。
【００２０】
また、地震によるボンベの転倒をより確実に防止するためには、本発明ベルト１を上下二本掛けにするのが好ましい。本発明者が実験した限りでは、上下二本掛けにした場合には、兵庫県南部地震（震度７強、水平最大加速度８１８ｇａｌ、垂直最大加速度３３２ｇａｌ）程度の外力を受けても容器の転倒は見られなかった。
【図面の簡単な説明】
【００２１】
【図１】本発明に係るＬＰガスボンベ用ベルトの一例を示す概略断面図である。
【図２】（ａ）（ｂ）は、本発明ベルト１の使用状態の一例を経時的且つ概略的に示すいずれも斜視図である。
【図３】本発明ベルト１の掛止金具の構造に関する一例を示す斜視図である。
【図４】（ａ）（ｂ）（ｃ）は、図３で示した掛止金具による本発明ベルト１の使用状態の一例を経時的且つ概略的に示すいずれも斜視図である。
【符号の説明】
【００２２】
１    本発明に係るＬＰガスボンベ用ベルト
２    ベルト本体
３    バックル材
３１  孔
４１  掛止金具
４２  掛止金具
４３  フック挿通孔
５    Ｔ形突起
Ｆ    フック部材
【図１】
2005083545.tif 000003
【図２】
2005083545.tif 000004
【図３】
2005083545.tif 000005
【図４】
2005083545.tif 000006